(57)【特許請求の範囲】
【請求項１】
挿入するときの案内となるバンド駒案内部と、前記バンド駒案内部から水平方向に張り出したバンド駒係止部とを有するバンド駒と、
長手方向に溝を形成し前記バンド駒を挿入するバンド駒組込み部と、前記バンド駒組込み部の壁面に外形方向に向かって設け、前記バンド駒係止部を挿入するためのバンド係止溝と、前記バンド駒組込み部の一方の端部に底面が湾曲した湾曲部とを有するバンド本体と、
前記バンド本体の前記湾曲部に挿入するアジャスト駒リンクと、
前記アジャスト駒リンクを上方から前記バンド本体に対して押さえるアジャスト連結駒と、を有するバンド。
【請求項２】
前記バンド駒が、前記バンド駒係止ツバに前記バンド駒の位置決めをするための位置決めガイドを有し、
前記バンド本体が、前記バンド係止溝に前記位置決めガイドに対応した位置に突起を有する請求項１記載のバンド。
【発明の詳細な説明】
【０００１】
【発明の属する分野】
バンドに関するものである。
【０００２】
【従来の技術】
一般的にバンドは、腕に装着した際に腕の形状に沿って曲がるようになっている。曲がるようにするために、従来のバンドは、バンド自体に曲がりやすい材質を用いているものや、複数の駒をそれぞれ回転可能に連結させるものがある。特に駒を用いる場合、駒のある面に突起を設け、その突起に穴をあける。一方、前記ある面と対抗する面に、前記突起よりも若干大きい凹部を設ける。この凹部にも穴をあけておく。凹部の穴の中心とから突起の穴の中心とが一直線になるように、突起を凹部に挿入する。そして、凹部の穴から突起の穴に連結棒を挿入する。このとき、連結棒の外径に対して、凹部の穴は若干きつくはめ合わせ、突起の穴は若干ゆるめにはめ合わす。こうすることで、連結棒とはめ合う突起を有する駒が、凹部の穴を有する駒に対して回転可能となり、腕の形状に沿うようになる。
【０００３】
【発明が解決しようとする課題】
従来のバンドは、駒と駒とを連結するのに連結棒を用いるために、駒に連結棒の穴をあける必要がある。この穴は、外観上に現れてしまうため、装飾性の点で問題があった。
【０００４】
そこで、本発明は、時計バンドの構成を、長さ調節しないバンド本体部と長さ調整をするアジャスト部と定義した時、バンド本体部はバンド側面に付属部品を固定するための穴のないもの、すなわち、バンド本体の側面に穴のないバンドを提供するものを実現する。
【０００５】
【課題を解決するための手段】
本発明は、挿入するときの案内となるバンド駒案内部と、前記バンド駒案内部から水平方向に張り出したバンド駒係止部とを有するバンド駒と、長手方向に溝を形成し前記バンド駒を挿入するバンド駒組込み部と、前記バンド駒組込み部の壁面に外形方向に向かって設け、前記バンド駒係止部を挿入するためのバンド係止溝と、前記バンド駒組込み部の一方の端部に底面が湾曲した湾曲部とを有するバンド本体と、前記バンド本体の前記湾曲部に挿入するアジャスト駒リンクと、前記アジャスト駒リンクを上方から前記バンド本体に対して押さえるアジャスト連結駒と、を有するバンドに関する。
【０００６】
また本発明は、前記バンド駒が、前記バンド駒係止ツバに前記バンド駒の位置決めをするための位置決めガイドを有し、前記バンド本体が、前記バンド係止溝に前記位置決めガイドに対応した位置に突起を有するバンドに関する。
【０００７】
バンド本体１のバンド駒係止溝１１にバンド駒保持壁１２とバンド駒案内壁２２が接するようにして、バンド駒係止ツバ２１を滑り込ませ、順次バンド駒２をバンド本体１に組込んだ時計バンドの本体部を構成する。
【０００８】
【作用】
バンド本体１のバンド駒係止溝１１にバンド駒保持壁１２とバンド駒案内壁２２が接するようにして、バンド駒係止ツバ２１を滑り込ませ、順次バンド駒２をバンド本体１に組込んだバンドの本体部を構成する。また可撓性をゆうするので付属部品、具体的にはバンド駒２を個々に固定する軸状部材が不要となりバンドの側面に穴のないものが実現できる。
【０００９】
【実施例】
＜実施例１＞
本発明の実施例１を、図面に基いて詳述する。図1は、バンドの一部を示した斜視図である。図２は、バンドの構成部品を示す斜視図である。  まず、図２から説明する。バンド１００はバンド本体１、バンド駒２、アジャスト連結駒３、アジャスト駒リンク４、連結ピン５により構成される。
バンド本体１には、上面から下面方向に溝形状を有するバンド駒組込み部１７を設ける。バンド駒組込み部１７の長手方向の両側面であるバンド駒保持壁１２には、バンド駒２を挿入して係止するためのバンド駒係止溝１１を設ける。このバンド駒保持壁１２の延長上は、アジャスト連結駒保持壁１５となる。アジャスト連結駒保持壁１５には、バンド本体１の外形に貫通したアジャスト連結駒取付穴１３とアジャスト駒リンク取付穴１４を設ける。アジャスト連結駒取付穴１３とアジャスト駒リンク取付穴１４周辺の底面に、２つの湾曲部１８を設ける。この湾曲部１８は、アジャスト駒リンク４の形状に合わせておく。なお、バンド本体１は弾性を有するようにする。
【００１０】
バンド駒２は、対向する左右の両端を断面が「コ」の字状となるように、垂直方向で下方側に折り曲げる。この垂直に折り曲げた部分は、バンド駒案内壁２２なり、バンド本体１に挿入したとき、バンド駒保持壁１２と接触させる。そして、バンド駒案内壁２２の先端を水平方向にさらに折り曲げた、バンド駒係止ツバ２１を有する。バンド駒係止ツバ２１は、バンド本体１のバンド駒係止溝１１に挿入する。そのため、バンド駒係止ツバ２１の角部は、バンド駒２の着脱時に着脱しやすいように、先端の角部に面取りを施す。
【００１１】
アジャスト駒リンク４は、下面側に２つの駒湾曲部を有する。その駒湾曲部には、それぞれ駒湾曲部内を貫通するアジャスト駒連結穴４２をあける。駒湾曲部は、バンド本体１の湾曲部１８に収まる形状とする。アジャスト連結駒３は、対向する左右の両端を垂直方向で下方側に折り曲げる。これが連結駒案内壁３５となる。それぞれの連結駒案内壁３５には、貫通した、連結駒係止穴３３とリンク係止穴３４を設ける。
実施例１では、バンド本体１には対面するバンド駒保持壁１２とバンド本体底部１６で構成されるバンド駒組込み部１７の該バンド駒保持壁の中間部にバンド本体平面方向に溝状のバンド駒係止溝１１を形成した。
バンド駒２は、板を「コの字」に曲げたバンド駒のバンド駒案内壁２２を形成し、該バンド駒案内壁の途中からバンド平面方向外側に曲折成形したバンド駒係止ツバ２１を形成した。
【００１２】
次に、組み立て方について説明する。
【００１３】
上述のバンド本体１のバンド駒係止溝１１にバンド駒保持壁１２とバンド駒案内壁２２が接するようにして、バンド駒係止ツバ２１を滑り込ませ、順次バンド駒２をバンド本体１に組込む。このようにすることにより、バンド本体１の表面中央部に金属のバンド駒２を配した、バンド本体１の側面にバンド駒２を固定するための穴のない時計バンド本体部を構成する時計バンドが得られる。
【００１４】
この実施例では、図２に示すように、バンド長さを調整する着脱自在のアジャスト駒を連結するためのアジャスト連結駒３を組込めるように、バンド本体１の一方の端部にアジャスト連結駒取付穴１３、アジャスト駒リンク取付穴１４を形成し、連結ピン５を用いてアジャスト連結駒３とアジャスト駒リンク４をバンド本体に取付けた。
【００１５】
また、アジャスト接続駒３を取付けた反対の端面に、アジャスト連結駒３を取付けたことと同じように、時計ケースと接続するための接続部材を連結ピンで取付けることも可能であり、さらに、時計ケースと接続するための別の方法として、バンド本体１の先端部に公知のバネ棒による取付穴を成形することも可能である。なお、バンド駒２はメタルを用いているが、一定の硬度を保有する合成樹脂に置き換えることも可能である。
【００１６】
【実施例２】
実施例１のバンド駒２のバンド駒係止ツバ２１に図３に示す位置決めガイド６３を施したガイド付きバンド駒６とし、バンド駒係止溝１１の位置決めガイド６３に対応する部位に位置決めガイド６３が食付き係合する係合突起を形成して、個々のガイド付きバンド駒６３をバンド駒係止溝１１の所定の位置に係止した。この結果、個々のガイド付きバンド駒６はバンド本体１に対しての係合位置精度を向上することができる。
【００１７】
この実施例２は、ガイド付きバンド駒６をバンド駒係止溝１１に順次組込む際に、最終組込みのガイド付きバンド駒以外は、位置決めガイド６３が食付き係合する係合突起を乗り越える必要があるので、実施例１に比較して組込み手間が掛かる。
バンド体の要求品質に応じて、実施例１と実施例２を使い分けすることも可能である。実施例１と同様にバンド駒６はメタルから、一定の硬度を保有する合成樹脂に置き換えることも可能である。
【００１８】
【発明の効果】
本発明によればバンド駒２を個々に固定する軸状部材が不要となりの側面に穴のないものが実現でき、商品展開が可能になった。
【図面の簡単な説明】
【図１】図１は本発明の時計バンドの斜視図
【図２】図２は本発明の実施例の構成部品斜視図
【図３】図３はバンド駒斜視図である。
【符号の説明】
１：バンド本体
２：バンド駒
３：アジャスト連結駒
４：アジャスト駒リンク
５：連結ピン
６：ガイド付きバンド駒
１１：バンド駒係止溝
１２：バンド駒保持壁
１３：アジャスト連結駒取付穴
１４：アジャスト駒リンク取付穴
１５：アジャスト連結駒保持壁
１６：バンド本体底部
１７：バンド駒組込み部
１８：湾曲部
２１：バンド駒係止ツバ
２２：バンド駒案内壁
３３：連結駒係止穴
３４：リンク係止穴
３５：連結駒案内壁
４１：連結駒連結穴
４２：アジャスト駒連結穴
６１：ガイド付きバンド駒係止ツバ
６２：ガイド付きバンド駒案内壁
６３：位置決めガイド
１００：バンド
【図１】
0004787436.tif 000002
【図２】
0004787436.tif 000003
【図３】
0004787436.tif 000004